(57)【要約】      （修正有）【課題】円筒形に巻いて丸めるだけで袋に直ぐ入れて使用でき、袋のサイズが異なるときでも柔軟に対応でき、また袋からの取り出しや、袋への挿入を容易化できると共に、コストダウンが可能になる袋用立体姿勢形成具を提供する。【解決手段】袋１の中に入れて袋１を口が開いた立体姿勢に形作る袋用立体姿勢形成具である。円筒形に巻くと復元するシート材２で形成する。袋１の口から露出する一辺２ｃに沿って、把手用の貫通孔３を、複数形成する。この場合、円筒形に巻いたときのシート材２の内面２ａを滑らかに形成し、袋１と接触する外面２ｂを粗い状態に形成するのが好ましい。【選択図】図１
0003158489.tif 000002
【実用新案登録請求の範囲】
【請求項１】
袋の中に入れられて袋を口が開いた立体姿勢に形作る袋用立体姿勢形成具であって、円筒形に巻かれると復元するシート材で形成され、袋の口から露出する一辺に沿って、把手用の貫通孔が、複数形成されていることを特徴とする袋用立体姿勢形成具。
【請求項２】
請求項1記載の袋用立体姿勢形成具であって、円筒形に巻かれたときのシート材の内面が滑らかに形成され、袋と接触する外面が粗い状態に形成されていることを特徴とする袋用立体姿勢形成具。
【請求項３】
請求項1又は２記載の袋用立体姿勢形成具であって、円筒形に巻かれたときのシート材の内面に外周縁が擦接して係止する蓋を備え、この蓋が面状に形成されていることを特徴とする袋用立体姿勢形成具。
【請求項４】
請求項３記載の袋用立体姿勢形成具であって、蓋に、把手用の孔が貫通状に形成されていることを特徴とする袋用立体姿勢形成具。
【考案の詳細な説明】
【技術分野】
【０００１】
本考案は、袋用立体姿勢形成具に関し、更に詳しくはごみ袋や土嚢用の麻袋等の袋の中に円筒形に巻いて入れ、袋が口を開いた立体姿勢をとるよう形作るのに使用する袋用立体姿勢形成具に関するものである。
【背景技術】
【０００２】
従来、この種の用具としては、例えば特許文献１に記載されているものが知られている。
この従来品は、シート体の両端部の表裏部に、接着部が縦方向に設けられ、この接着部同士を接着して筒状体を構成し、この筒状体の表面にゴミ袋を固着するための固着部を複数有して形成されている。
【０００３】
従って従来品によると、円筒体を形成するための操作が面倒で、簡単、迅速に袋を立体状に形作ることができなかっただけではなく、接着部や、また袋がシート体からずれ落ちないようにするために固着部を表面に設けていたから、その分、コストが増加する、という問題点があった。
【０００４】
また従来品は、通常、円筒形に巻いたときの直径に見合う大きさの袋にしか対応できない、という問題点があった。
従って従来品によると、袋の大きさに合わせて形成する必要があり、その結果、多種類のシート体を揃えなければならなかった。
【０００５】
また従来品は、袋からシート体を上方に引き抜くとき、先ず固着部と袋との固着状態を解除し、次に袋から露出するシート体の上部を摘んで引き上げる必要があった。
従って従来品によると、袋からシート体を取り出す操作が不便で、手指が滑って取り出し難く、例えばごみが満杯のときは、ごみとの摩擦で一層シート体を取り出し難い、という問題点があった。
【０００６】
また従来品は、上記の通り、両端部の接着部を接着して円筒形に形作り、その状態で袋に入れる必要があった。
従って従来品の場合は、袋にセットする場合も、入れ難い、という問題点があった。
【先行技術文献】
【特許文献】
【０００７】
【特許文献１】実用新案登録第３１０１６４９号公報
【考案の概要】
【考案が解決しようとする課題】
【０００８】
本考案は、このような従来技術の問題点に鑑み、提案されたものである。
従って本考案の解決しようとする技術的課題は、円筒形に巻いて丸めるだけで袋に直ぐ入れて使用でき、袋のサイズが異なるときでも柔軟に対応でき、また袋からの取り出しや、袋への挿入を容易化できると共に、コストダウンが可能になるよう形成した袋用立体姿勢形成具を提供することにある。
【課題を解決するための手段】
【０００９】
本考案は、上記の課題を解決するため、次のような技術的手段を採る。
即ち、本考案は、図１等に示されるように、袋１の中に入れられて袋１を口が開いた立体姿勢に形作る袋用立体姿勢形成具であって、円筒形に巻かれると復元するシート材２で形成され、袋１の口から露出する一辺２ｃに沿って、把手用の貫通孔３が、複数形成されていることを特徴とする（請求項１）。
【００１０】
この場合本考案は、円筒形に巻かれたときのシート材２の内面２ａが滑らかに形成され、袋１と接触する外面２ｂが粗い状態に形成されているのが好ましい（請求項２）。
【００１１】
なぜならこれによると、内面２ａが滑らかで摩擦抵抗が小さいため、例えばゴミに触れても汚れ難くなり、掃除もし易くなるからである。またこの場合は、外面２ｂの摩擦抵抗が大きいため、袋１がずれ落ち難くなるからである。ここで、滑らかとは、摩擦抵抗が小さくなるよう、表面がつるつるした状態を意味し、粗い状態とは、袋１との接触摩擦が大きくなるよう、表面がざらざらした状態に形成されている、ということを意味する。
【００１２】
また本考案は、円筒形に巻かれたときのシート材２の内面２ａに外周縁４ａが擦接して係止する蓋４を備え、この蓋４が面状に形成されているのが好ましい（請求項３）。
【００１３】
なぜならこれによると、臭いの発散や収納物の乾燥を蓋４で防止できるからである。またこれによると、不使用時は本体と共に、蓋４を平面化して重ね合わせることができ、保管スペースを小さくでき、持ち運びを容易化できるからである。
【００１４】
またこの場合、本考案は、蓋４に、把手用の孔４ｂが貫通状に形成されているのが好ましい（請求項４）。
【００１５】
なぜならこれによると、貫通状の孔４ｂに手指を入れて蓋４の取り付け、取り外しを容易化できるからである。この場合、孔４ｂの形成位置、個数、形状等は、自由である。
【考案の効果】
【００１６】
本考案は、このように円筒形に巻かれると復元するシート材で形成され、袋の口から露出する一辺に沿って、把手用の貫通孔が、複数形成されているものである。
【００１７】
従って本考案によれば、円筒形に巻いて丸めるだけで袋に直ぐ入れて使用でき、袋に入れると復元して袋に密着するため、袋のサイズが多少異なるときでも柔軟に対応できる。
また本考案品は、貫通孔に手指を入れてシート材を引き出す（引き抜く）ことができるから、これによると、袋がごみで満杯のときでも袋からシート材を楽に取り出すことができる。
また本考案品は、袋にセットするとき、シート材を巻き込み直径を小さくして入れることができるから、これによれば、袋へセットする操作を容易化できる。
また本考案品は、構造が簡単であり、袋との固着部品等を省略できるから、これによれば、製造コストを抑えることができ、その分、製品を安価に提供できる。
【図面の簡単な説明】
【００１８】
【図１】本考案品の好適な一実施形態を示す使用状態時の斜視図である。
【図２】本考案品のシート材の正面図である。
【図３】図２のＩＩＩ−ＩＩＩ線における要部拡大断面図である。
【図４】本考案品の使用例を説明するための斜視図である。
【考案を実施するための形態】
【００１９】
以下、本考案を実施するための好適な一実施形態を、添付図面に従って説明する。
本考案は、図１等に示されるように、袋１の中に入れられて袋１を口が開いた立体姿勢に形作る袋用立体姿勢形成具であり、円筒形に巻かれると復元するシート材２で形成されている。
【００２０】
シート材２は、例えばポリエチレン、ポリプロピレン等の合成樹脂材で、この実施形態では長方形状に形成されている。またこのシート材２は、円筒形に巻かれたとき内側になる内面２ａが滑らかに形成され、袋１と接触する外面２ｂが、図３に示されるように、ざらざらした粗い状態に形成されている。なお、この実施形態の場合、袋１は、ポリエチレン製のごみ袋である。
【００２１】
また本考案は、袋１の口から露出する一辺２ｃに沿って、把手用の貫通孔３が、複数形成されている。この貫通孔３は、この実施形態では円形状であり、等間隔をあけて直列状に配置されている。
【００２２】
またこの実施形態の本考案品は、円筒形に巻かれたときのシート材２の内面２ａに外周縁４ａが擦接して係止する蓋４を備えて形成されている。この蓋４は、シート材２と同じ樹脂材で面状に形成されている。またこの蓋４は、中央部に、把手用の孔４ｂが貫通状に形成されている。この孔４ｂは、この実施形態では親指と人差し指を入れて蓋４を挟持できるよう、近接して一対形成されている。
【００２３】
次に、この実施形態の本考案品の使用例を説明する。
使用者は、図１、図４に示されるように、本考案品のシート材２を復元力に抗して円筒形に丸め、貫通孔３が形成されている一辺２ｃを上にして、袋１に差し入れる。本考案品は、袋１に入ると、復元力で外側に広がるように巻き戻る。その結果、袋１に密着して袋１を口が開いた状態に張り、立体状に形作る。
【００２４】
使用者は、この状態で、ごみを投入し、ごみを隠したり、匂いの発散を防止したいときは、シート材２の円筒状の開口面から蓋４を中に入れる。この場合、蓋４は、シート材２の内面２ａに外周縁４ａが摺接して係止し、落下が防止される。
【００２５】
そして、投入したごみでシート材２の中が満杯になったら、貫通孔３に手指を入れ、シート材２を引き抜く。これにより、ごみだけが袋１の中に残るため、その後は、通常通り、例えば袋１の把手１ａ同士を縛って廃棄する。なお、シート材２は繰り返し使用する。
【００２６】
而して、本考案品は、このように袋１を立体状に形作ることができるから、ごみを入れ易く、一人で簡単にごみを投入することができる。また袋１は、シート材２によってごみと直接触れることがないから、これによれば、投入時の衝撃や多少無理に詰め込んでも、割りばし等のごみで袋１を破損させることがない。
【００２７】
また本考案品は、保管時等の不使用時に、嵩張らないよう、蓋４を含めて平面化、扁平化できる。それ故これによれば、保管や運搬を容易化できる。また本考案品は、花見やイベントの会場では、シート材２を地面に敷いてレジャーシートとして使用でき、後片付けのとき、ごみ袋１に入れて使用できるから、使い勝手が良い。
【００２８】
また、例えばイベント会場等で使用するときは、袋１から露出している箇所に広告を表示することができるから、これによれば、広告宣伝の手段としても利用できる。またシート材２は、ごみ袋１の色に合わせて着色したり、或いは色によってごみを仕分けできるよう、任意の色で着色されているのでも良い。
なお本考案品は、補強兼用の接続片を介してシート材２同士が連結され、大きな袋用の一枚のシート材２に形成されているのでも良い。
【符号の説明】
【００２９】
１      袋
２      シート材
２ａ    内面
２ｂ    外面
２ｃ    一辺
３      貫通孔
４      蓋
４ａ    外周縁
４ｂ    孔
【図１】
0003158489.tif 000003
【図２】
0003158489.tif 000004
【図３】
0003158489.tif 000005
【図４】
0003158489.tif 000006